(57)【要約】      （修正有）【課題】パンに水分を付与するための部材の大きさが制約されないオーブントースターを提供する。【解決手段】パンを焼く本体部の下部に引き出し可能なパンくずトレイ３を備えたオーブントースターであって、パンくずトレイ３に、水分を保持可能な水分付与部材５を載置する収容凹部３１を設けたことを特徴とする。水分付与部材５はプレート状である。収容凹部３１には、水分付与部材５を取り出すための取り出し凹部３２が形成されている。水分付与部材５は、平面視で長方形である。【選択図】図２
0003230849.tif 000002
【実用新案登録請求の範囲】
【請求項１】
パンを焼く本体部の下部に引き出し可能なパンくずトレイを備えたオーブントースターであって、
前記パンくずトレイに、水分を保持可能な水分付与部材を載置する載置部を設けたことを特徴とするオーブントースター。
【請求項２】
前記水分付与部材はプレート状であり、前記載置部は収容凹部として形成されることを特徴とする請求項１に記載のオーブントースター。
【請求項３】
前記収容凹部には、前記水分付与部材を取り出すための取り出し凹部が形成されていることを特徴とする請求項２に記載のオーブントースター。
【請求項４】
前記水分付与部材は、平面視で長方形であることを特徴とする請求項２又は３に記載のオーブントースター。
【考案の詳細な説明】
【技術分野】
【０００１】
本考案は、パンを焼く本体部の下部に引き出し可能なパンくずトレイを備えたオーブントースターに関する。
【背景技術】
【０００２】
かかるオーブントースターにおいて食パン等のパンを焼くとパンに含まれていた水分が蒸発してしまい、パン本来が持っているふっくら感が損なわれるという問題があった。そこで、下記特許文献１では、焼き網トレイの上にパンと一緒にトースター用水分供給部材を置いて加熱するようにしている。この部材は多孔質部材であって、表面に液体を収容可能な凹みを備えている。
【０００３】
下記特許文献２も同じような構成が開示されている。水分を充分に吸収できる素焼きの陶磁器製で、一部が開放された空洞の小型筐体形状とした加湿具を、パンと共にパン焼き用のトースター内に配置して、パンを加湿焼成することを開示している。具体的には、焼き網の上に載せられた食パンに隣接して加湿具を配置するようにしている。このような水分供給部材あるいは加湿具を用いることで適度な水分を付与して美味しいパンを焼くことができる。
【先行技術文献】
【特許文献】
【０００４】
【特許文献１】実用新案登録第３２２３４２３号
【特許文献２】特許第６６５３９８４号
【考案の概要】
【考案が解決しようとする課題】
【０００５】
しかしながら、上記の先行技術は、水分供給部材あるいは加湿具をパンと一緒に焼き網の上に配置するものであり、パンを載置するスペースを確保するためには、加湿具等の大きさに制約が生じるという問題があった。
【０００６】
本考案は上記実情に鑑みてなされたものであり、その課題は、パンに水分を付与するための水分付与部材の大きさが制約されないようなオーブントースターを提供することである。
【課題を解決するための手段】
【０００７】
上記課題を解決するため本考案に係るオーブントースターは、
パンを焼く本体部の下部に引き出し可能なパンくずトレイを備えたオーブントースターであって、前記パンくずトレイに、水分を保持可能な水分付与部材を載置する載置部を設けたことを特徴とするものである。
【０００８】
かかる構成によるオーブントースターの作用・効果を説明する。このオーブントースターは、パンくずトレイに載置部を設けており、ここに水分を保持可能な水分付与部材を載置する。パンくずトレイ自体は、広い面積を有しており、水分付与部材を載置するためには十分である。従って、水分付与部材の大きさには大きな制約はない。
【０００９】
本考案に係る前記水分付与部材はプレート状であり、前記載置部は収容凹部として形成されることが好ましい。
【００１０】
この構成によると、収納凹部に水分付与部材を載置することができ、形状はプレート状であるから高さを低く抑えることができる。
【００１１】
本考案に係る前記収容凹部には、前記水分付与部材を取り出すための取り出し凹部が形成されていることが好ましい。これにより、パンくずトレイから水分付与部材を容易に取り出すことができる。
【００１２】
本考案に係る前記水分付与部材は、平面視で長方形であることが好ましい。これにより、十分な大きさのプレート状とすることができる。
【図面の簡単な説明】
【００１３】
【図１】本実施形態に係るオーブントースターの外観斜視図
【図２】パンくずトレイを引き出した状態のオーブントースターの外観斜視図
【図３】オーブントースターの左右方向に沿った断面図
【図４】オーブントースターの前後方向に沿った断面図
【図５】水分付与部材を収容したパンくずトレイの平面図
【考案を実施するための形態】
【００１４】
本考案に係るオーブントースターの好適な実施形態を図面を用いて説明する。図１は、本実施形態に係るオーブントースターの外観斜視図である。図２は、パンくずトレイを引き出した状態のオーブントースターの外観斜視図である。図３は、オーブントースターの左右方向に沿った断面図である。図４は、オーブントースターの前後方向に沿った断面図である。
【００１５】
オーブントースターは、本体部１と扉２とパンくずトレイ３を備えている。パンくずトレイ３を除いた部分は、従来の構成を採用することができる。図４に示すように、本体部１の内部には、不図示の焼き網を受けるための焼き網受け１０が設けられ、その上下に上ヒーター１１と下ヒーター１２が配置されている。
【００１６】
扉２の上部には取っ手２０が設けられており、取っ手２０を引っ張ることで扉２が開くと共に、扉２の開閉に連動して焼き網受け１０を引き出すことができる。この焼き網受け１０の上に焼き網を載せ、さらにパンを置くことで、パンを焼くことができる。なお、パンは食パンやクロワッサン等の種々のパンを焼くことができ、パン以外にもピザやクッキーなどを焼くこともできる。不図示の焼き網は必要に応じて使用されるものである。
【００１７】
扉２の下方には操作つまみ４が設けられており、電源のＯＮ／ＯＦＦ、ヒーターの強度、タイマーなどを設定することができる。
【００１８】
図２は、パンくずトレイ３を引き出した状態を示す。パンくずトレイ３は、引き出し操作部３０と、パンくずが収容されるトレイ本体３３と、トレイ本体３３の全周にわたって形成されるフランジ部３４を備えている。トレイ本体３３にパンくずが落下して収容される。フランジ部３４によりパンくずが周囲に飛び散らないようにしている。図１に示すように、引き出し操作部３０を手で引っ張ることでパンくずトレイ３を前方に引き出すことができる。
【００１９】
図５は、パンくずトレイ３に水分付与部材５を載置した状態を示す平面図である。水分付与部材５は、平面視で長方形であり、パンくずトレイ３のトレイ本体３３の形状と対称的な長辺と短辺を有する。水分付与部材５は、例えば、素焼きの陶磁器製（セラミック）、あるいは、適宜の多孔質体により形成され、水分を保持させることができる。
【００２０】
水分付与部材５を収容するために、収容凹部３１（載置部に相当）が形成されている。収容凹部３１の深さは、水分付与部材５の厚みと同じかほぼ同じになるように形成されている。収容凹部３１の長辺部分の中央に取り出し凹部３２が形成されている。取り出し凹部３２は円弧上に膨らんだ形状を有しており、この部分に指を挿入することで、水分付与部材５を収容凹部３１から取り出しやすくしている。
【００２１】
図３、図４の断面図には、水分付与部材５を収容した状態が示される。パンくずトレイ３の下部は、本体部１の筐体を構成する底面１３により支持されている。
【００２２】
＜使用方法＞
次に、水分付与部材５を使用してパンを焼くときの手順を説明する。水分付与部材５を水に所定時間（例えば、１０分）浸漬させ、水分を保持させる。次に、パンくずトレイ３を引き出して、水分付与部材５をパンくずトレイ３の収容凹部３１に載置させてパンくずトレイ３を本体部１の内部にセットする。パンを焼き網受け１０の上にセットした焼き網トレイの上に置く。次いで、タイマーを好みの時間にセットしてヒーター１１，１２を加熱してパンを焼く。焼きあがったパンは、水分（水蒸気）が付与されて、表面がカリッとしており、内側はしっとりした美味しいパンを焼くことができる。また、水分付与部材５は焼き網トレイの上に置く必要がないので、パンを置くスペースを確保することができる。また、水分付与部材５の大きさも十分に取ることができる。
【００２３】
＜別実施形態＞
本実施形態では、パンくずトレイ３の上に１つの水分付与部材５を載置しているが、２つ以上の水分付与部材５を載置するようにしてもよい。水分付与部材５の形状は長方形ではなく、正方形、円形等の他の形状を採用してもよい。
【符号の説明】
【００２４】
１        本体部
１０      焼き網トレイ
１１      上ヒーター
１２      下ヒーター
１３      底面
２        扉
３        パンくずトレイ
３０      引き出し操作部
３１      収容凹部
３２      取り出し凹部
３３      トレイ本体
３４      フランジ部
４        操作つまみ
５        水分付与部材
【図１】
0003230849.tif 000003
【図２】
0003230849.tif 000004
【図３】
0003230849.tif 000005
【図４】
0003230849.tif 000006
【図５】
0003230849.tif 000007